(57)【要約】      （修正有）【課題】耐久性のある高品質で低コストでシンプルな安全コードを提供する。【解決手段】縒り戻し具２は、合成樹脂製或は金属製でなる略円筒状のコード止めＢと接続金具止めＣとの２部品で構成し、双方の結合は各々が整合するネジ４が切られネジ締め結合可能な構成とし、当該コード止めＢの端子側面Ｂａには連結コードＡが貫通する孔５を設け、其れに差し込まれた連結コードＡの先には当該孔５径より太い金属のブッシュ６がカシメられコード止めＢに接続され、そしてまた、接続金具止めＣの端子側面Ｃａには数本のスリット７で分割された爪状に連なる孔８が設けられ、そしてこれらの孔８より太い接続金具１の具備する突起部１ａが圧入無理嵌めで前記爪状が拡開挿入され、突起部１ａに近接する回動軸１ｂが孔８に軸支され閉じ、接続金具１が回動自在に係合される。【選択図】図１
2012011537.tif 000002
【特許請求の範囲】
【請求項１】
連結コード（Ａ）の端子部に接続金具（１）付の縒り戻し具（２）が接続されてなる安全コード（３）において、縒り戻し具（２）は、合成樹脂製或は金属製でなる略円筒状のコード止め（Ｂ）と接続金具止め（Ｃ）で構成し、双方の結合は各々が整合するネジ（４）が切られネジ締め結合可能な構成とし、当該コード止め（Ｂ）の端子側面（Ｂａ）には連結コード（Ａ）が貫通する孔（５）を設け、其れに差し込まれた連結コード（Ａ）の先には当該孔（５）径より太い金属のブッシュ（６）がカシメられコード止め（Ｂ）に接続され、そしてまた、接続金具止め（Ｃ）の端子側面（Ｃａ）には数本のスリット（７）で分割された爪状に連なる孔（８）が設けられ、そしてこれらの孔（８）より太い接続金具（１）の具備する突起部（１ａ）が圧入無理嵌めで前記爪状が拡開挿入され、突起部（１ａ）に近接する回動軸（１ｂ）が孔（８）に軸支され閉じ、接続金具（１）が回動自在に係合され、これらの接続金具止め（Ｃ）をコード止め（Ｂ）の空洞部に差し込み双方が整合するネジ（４）の締め付けで結合一体化
可能な縒り戻し具（２）にしたことを特徴とする安全コード。
【請求項２】
前記する接続金具止め（Ｃ）の端子側面の孔（８）に連なる数本のスリット（７）を取り除き、縦方向での２分割構成の半円形の孔（８ａ）でなる接続金具止め（ＣＣ）を装備でなる縒り戻し具（２）にしたことを特徴とする請求項１記載の安全コード。
【請求項３】
請求項２での接続金具止め（ＣＣ）とコード止め（Ｂ）との双方に設けたネジ（４）切りを廃止し、双方の結合はコード止め（Ｂ）の外周にスナップ性に拡開するスリット（７ａ）でなる止め孔（９）を設け、そして、其れに整合して嵌め込まれる係止爪（１０）を縦方向に２分割した接続金具止め（ＣＣ）の夫々の外周に設け、更に当該接続金具止め（ＣＣ）の両サイドの端子側面に開口する夫々の孔（８ｂ）、（８ｃ）に連結コード（Ａ）と接続金具（１）を嵌め込み係止し，当該２分割合体の接続金具止め（ＣＣ）を前記コード止め（Ｂ）の空洞部に差し込み、双方が整合する止め孔（９）と係止爪（１０）でのスナップ結合可能な縒り戻し具（２）にしたことを特徴とする請求項２記載の安全コード。
【発明の詳細な説明】
【技術分野】
【０００１】  この発明は、例えば、建築現場で作業者が工具を使って手作業するのに作業者身辺に工具を紐で結び付ける等で、工具の脱落や紛失防止の為に使う安全コードに関し、或は、魚釣り場での釣り人の身辺に釣り竿を紐で結び付ける等に使う安全コードに関し、更に詳しくは、当該安全コードは連結コードと物を保持する接続金具を回動自在に係合装備する縒り戻し具からなる構成で、これらに装備する縒り戻し具についての改良に関する。
【背景技術】
【０００２】  此の種の従来の技術として、工具携帯用安全紐（本発明では安全コード）の名称で特許文献１に記載され開示されている。【０００３】  即ち、特許文献１での工具携帯用安全紐は、ポリウレタン樹脂製のチュウブに金属製の縒り線を芯線にした２重構造の連結コードを使い、これらの連結コードの一部を密着コイル状に加工し、伸縮の出来る構成で、この連結コードは両端子の夫々が円筒状の縒り戻し具の片方側面の開口孔に挿入接続し、他方の側面の開放口には物を着脱自在に取り付け保持の出来る金属製の接続金具が挿入され回動自在に係合でなる工具携帯用安全紐を構成し、例えば建築現場等で手に持つ工具を作業者のベルト等につないだ連結コードの接続金具に取り付け保持し、工具の落下や紛失を防止したり、或は、作業者のベルトに吊り下げた工具収納袋の中に連結コードに接続取り付けられた工具を収納して、適時袋から取り出して連結コードに吊るされた工具を使い、工具が手から離れても落下するのを未然に防いでいる。【０００４】  そして、前記する縒り戻し具は略円筒状で、一端の底部に連結コードを通過させる貫通孔を設け、連結コードが接続され、他端は開放されるとともに前記接続金具の軸部に係合するリング状の係合部を備え、前記縒り戻し具の開放口に設けたリング状の係合部に接続金具の突起部に近接して設けた凹部の細い回動軸に整合嵌入させ、リング状の外周に外力を加え、つぶして変形させ回動軸が抜ける事無く接続金具が回動自在に係合する構成である。【０００５】
【特許文献１】特開２００２−１０３２５２号公報
【発明の開示】
【発明が解決しょうとする課題】
【０００６】  しかしながら、文献１で記載されたものでは、縒り戻し具の開放口に接続金具の突起部を差し込み開放口縁に設けたリング状の外周をつぶして接続金具の回動軸の軸受けにする製法をとるため、縒り戻し具を樹脂成形にする事が出来ない等で製造コストが高く、全体の荷重が重くなる等の課題が残る。そしてまた、接続金具の丸棒の軸を比円形のつぶし溝孔で軸支する為、軸が抜けやすく更には、軸のガタつきやキシミ等でスムーズな接続金具の回動を阻害してしまう為、工具携帯安全紐に装備する縒り戻し具としての安全機能を十分発揮出来ない等の課題がある。
【０００７】  このような観点から製造コストを下げる為の金属製から、シンプルな構成で合成樹脂製加工にし、性能面では、連結コードに接続された縒り戻し具の接続金具に吊るす工具が軽い荷重でもスムーズに勝手に回動し、連結コードをよじたり、接続金具が抜けたりする事のない高品質で耐久性に富んだ安全コードが強く要望されていた。
【課題を解決するための手段】
【０００８】  前記目的を解決する為に、本発明による請求項１記載の安全コード３では、連結コードＡの端子部に接続金具１付の縒り戻し具２が接続されてなる安全コード３において、縒り戻し具２は略円筒状のコード止めＢと接続金具止めＣとの２部品で構成し、双方の結合は各々が整合するネジ４が切られネジ締め結合可能な構成とし、当該コード止めＢの端子側面Ｂａには連結コードＡが貫通する孔５を設け、其れに差し込まれた連結コードＡの先には当該孔５径より太い金属のブッシュ６がカシメられコード止めＢに連結コードＡ接続され、そしてまた接続金具止めＣの端子側面Ｃａには数本のスリット７で分割された爪状に連なるスナップ性でなる孔８が設けられ、これらの孔８より太い接続金具１の具備する突起部１ａが圧入無理嵌めで前記爪状が拡開し挿入され、突起部１ａに近接する回動軸１ｂが孔８に軸支され閉じ、接続金具１が回動自在に係合され、これらの接続金具止めＣをコード止めＢの開口する空間に差し込み、双方が整合するネジ４の締め付けで結合一体化可能な縒り戻し具２を構成する。
【０００９】  次に、請求項２記載の安全コード３では、前記する接続金具止めＣの端子側面の孔８に設けた数本のスリット７を取り除き、縦方向での２分割構成の半円形の孔８ａでなる接続金具止めＣＣを装備でなる縒り戻し具２でなる構成にする。
【００１０】  そしてまた、請求項３記載の安全コード３では、前記する接続金具止めＣＣとコード止めＢとの双方に設けたネジ４切りを廃止し、双方の結合はコード止めＢの外周にスナップ性に拡開するスリット７ａでなる止め孔９を設け、そして、其れに整合して嵌め込まれる係止爪１０を縦方向に２分割した接続金具止めＣＣの両サイドの端子に開口する夫々の孔８ｂ、８ｃに連結コードａと接続金具１を嵌め込み係止し、当該２分割係合での接続具止めＣＣを前記コード止めＢの空洞部を差し込み、双方が整合する止め孔９と係止爪１０でのスナップ結合可能な縒り戻し具２の構成とする。
【発明の効果】
【００１１】  本発明は上述の通り構成作用するので、次の優れた効果を奏する。即ち、請求項１での効果は、合成樹脂成形で縒り戻し具を作る為、軽量で定コストで出来、且つ接続金具の軸が適性な勘合で孔に差し込まれ回動し、低荷重と高荷重に順応しスムーズな回動で作動し更には、ネジ式で組み立分解の出来る縒り戻し具からなる安全コードが提供出来る。
【００１２】  次に、請求項２での効果は、接続金具止めを縦割り２分割で構成することで、ブッシュ付き連結コードと接続金具を同時に２分割係合の接続金具止めの両サイドに挟む込みコード止めを被せネジ締めだけの工法で完成する縒り戻し具からなる為連結コードと接続金具のメンテンナンスの出来る安全コードを提供出来る。
【００１３】  次に、請求項３での効果は、前記するネジ締め組み立て工法に変わりスナップ式でのワンタッチ組み立て工法で完成の出来る縒り戻し具からなる低コストでコンパクトな安全コードを提供出来る。
【発明を実施するための最良の形態】
【００１４】  以下に図示の実施例に基づいて本発明を更に詳細に説明する。即ち、図１、図２は本発明での第１実施例に基づく要部を示しての縦断面図で、連結コードＡは細いステンレス線を縒り合わせた柔軟性と引っ張りに強いワイヤ芯Ａａの回りにウレタンゴム等の弾性材を覆い被せてなる紐状で其の一部をカール状に巻き込んで両端に掛かる引っ張り荷重にクッション性を与える伸縮自在での構成が一般的であるが、構成は特定するものでなく、長さ、太さ材質は様々に選択出来る。これらの連結コードＡのワイヤー芯Ａａは被覆の切断端より僅かに露出させ、金属丸棒でなるブッシュ６の貫通孔にワイヤー芯Ａａを通しブッシュ６をツブス等でカシメられる構成とするが、（或は、ブッシュ６に貫通したワイヤー芯Ａａの先を折り曲げ、もう１個のブッシュ６ａに差し込みカシメる等でも良い）これらのワイヤー芯Ａａとブッシュ６の結合は、合成樹脂製等でなる略円筒状に成形されたコード止めＢの端子側面Ｂａに設けた孔５に前記の連結コードＡを貫通させた後にヤイヤー芯Ａａに前記孔５より太いブッシュ６が差し込まれカシメられ縒り戻し具２を構成するコード止めＢに接続され、そしてまた、縒り戻し具２を構成するもう１固の略円筒状の接続金具止めＣの端子側面Ｃａには数本のスリット７で分割された爪状に連なる孔８が設けられ、そして、これらの孔８より太い接続金具１の具備する突起部１ａが前記孔８に圧入無理嵌めで前記爪状が拡開挿入され、突起部１ａに近接する回動軸１ｂが孔８に軸支され閉じ、接続金具１が回動自在に係合され、これらの接続金具止めＣをコード止めＢの空洞部に差し込み双方に設けたネジ４切りの整合での締め付けで相互が一体化に結合する縒り戻し具でなる安全コードを構成する。【００１５】  次に、図３は本発明での第２実施例に基づく要部を示しての分解斜視図で、前記する接続金具止めＣの端子側面の孔８に連なる数本のスリット７を取り除き、当該略円筒状を縦方向での２分割構成の半円形の孔８ａでなる接続金具止めＣＣにし、分割した２つの半円形の孔８ａに接続金具１の具備する突起部１ａを抱き合わせるように挟み込み突起部１ａに近接する回動軸１ｂの軸支を、これらの接続金具止めＣＣを円筒状でなる連結コードＡ付きにしたコード止めＢの空洞部に差し込み双方に設けたネジ４切りの整合での締め付けで相互が一体化に結合する縒り戻し具でなる安全コードを構成する。【００１６】  次に、図４（ａ）、（ｂ）は本発明での第３実施例に基づく要部を示しての縦断面図と正面図で、前記する接続金具止めＣＣとコード止めＢとの双方に設けたネジ４切りを廃止し、双方の結合はコード止めＢの外周にスナップ性に拡開するスリット７ａでなる止め孔９を設け、そして、其れに整合して嵌め込まれる係止爪１０を縦方向に２分割した接続金具止めＣＣの夫々の外周に設け、更に当該接続金具止めＣＣの両サイドの端子側面に開口する夫々の孔８ｂ，８ｃに連結コードＡと接続金具１を嵌め込み係止し、当該２分割合体の接続金具止めＣＣを前記コード止めＢの空洞部に差し込み、双方が整合する止め孔９係止爪１０でのスナップ係合可能な縒り戻し具を装備しての安全コードにする。
【図面の簡単な説明】
【００１７】
【図１】本発明に係わる第１実施例での一部縦断面での正面図である。
【図２】本発明に係わる第１実施例での分解斜視図である。
【図３】本発明に係わる第２実施例での分解斜視図である。
【図４】図中（ａ）は本発明に係わる第３実施例での一部縦断面での正面図である。図中（ｂ）は本発明に係わる第３実施例での底面図である。
【符合の説明】
【００１８】  Ａ            連結コード
Ｂ            コード止め
Ｂａ，Ｃａ    端子側面
Ｃ，ＣＣ      接続金具止め
１            接続金具
１ａ          突起部
１ｂ          回動軸
２            縒り戻し具
２ａ          突起部
３            安全コード
４            ネジ
５、８、８ａ  孔
６            ブッシュ
７，７ａ      スリット
９            止め孔
１０            係止爪
【図１】
2012011537.tif 000003
【図２】
2012011537.tif 000004
【図３】
2012011537.tif 000005
【図４】
2012011537.tif 000006